(57)【要約】【課題】棚自体を伸縮することができまた従来より構造上安定である収納ラックを提供しようとするもの。【解決手段】棚部１と複数の支柱２とを具備し、前記棚部１は対向する荷受部材４をスライド可能に接合させて成り前記両荷受部材４を相互にスライドさせることにより伸縮できるようにしていると共に、前記荷受部材４は略スライド方向支持材１０とこの支持材に交叉する荷重支持材１１とを有し、前記荷受部材４のうち一方の荷受部材４Ｌの荷重支持材１１Ｌは両端が固定されていると共に他方の荷受部材４Ｒの略スライド方向支持材１０Ｒを支持し、前記一方の荷受部材４Ｌの略スライド方向支持材１０Ｒは他方の荷受部材４Ｒの荷重支持材１１Ｌを支持するようにした。【選択図】        図２
2004242994.tif 000002
【特許請求の範囲】
【請求項１】
棚部と複数の支柱とを具備し、前記棚部は対向する荷受部材をスライド可能に接合させて成り前記両荷受部材を相互にスライドさせることにより伸縮できるようにしていると共に、前記荷受部材は略スライド方向支持材とこの支持材に交叉する荷重支持材とを有し、前記荷受部材のうち一方の荷受部材の荷重支持材は両端が固定されていると共に他方の荷受部材の略スライド方向支持材を支持し、前記一方の荷受部材の略スライド方向支持材は他方の荷受部材の荷重支持材を支持するようにしたことを特徴とする収納ラック。
【請求項２】
前記スライドする荷受部材同士の案内枠部分には伸縮方向の変位を拘束する固定手段が設けられた請求項１記載の収納ラック。
【発明の詳細な説明】
【０００１】
【発明の属する技術分野】
この発明は、棚の部分が伸縮可能でありまた多段式のものとしても利用可能な収納ラックに関するものである。
【０００２】
【従来の技術】
従来より、押入れや部屋の片隅などに置いて各種のものを片付け空間を有効利用するために使用する収納ラックが知られている。
【０００３】
前記ラックの一つとして（例えば、特許文献１参照）、左右の枠体を接続する水平方向の桟材として、大径のパイプ材の一端に小径のパイプ材の一端が挿入されて伸縮可能となされているので、押入れ等の間口や幅に応じて前記桟材によりラックの幅を適宜伸縮させることにより押入れ内のスペースを有効に使用できるというものがあるが、これは桟材（この上に棚板が載る）を伸縮させるものであって棚自体を伸縮するものではなかった。
【０００４】
また、図８乃至図１３に示すように、左右一対の構成材２１が滑動可能に組み合わされ（図８及び図９参照）、棚となる部分で相互にスライドさせることにより伸縮させることができる（図１０乃至図１３参照）スライド棚２２がある。
【０００５】
しかし、このスライド棚２２は棚自体を伸縮することはできるが使用時に構造上不安定であるという問題があった。
【０００６】
【特許文献１】
特開平１０―１１７８５９号公報（第３〜４頁、図１，２）
【０００７】
【発明が解決しようとする課題】
そこでこの発明は、棚自体を伸縮することができまた従来より構造上安定である収納ラックを提供しようとするものである。
【０００８】
【課題を解決するための手段】
前記課題を解決するためこの発明では次のような技術的手段を講じている。
▲１▼  この発明の収納ラックは、棚部と複数の支柱とを具備し、前記棚部は対向する荷受部材をスライド可能に接合させて成り前記両荷受部材を相互にスライドさせることにより伸縮できるようにしていると共に、前記荷受部材は略スライド方向支持材とこの支持材に交叉する荷重支持材とを有し、前記荷受部材のうち一方の荷受部材の荷重支持材は両端が固定されていると共に他方の荷受部材の略スライド方向支持材を支持し、前記一方の荷受部材の略スライド方向支持材は他方の荷受部材の荷重支持材を支持するようにしたことを特徴とする。
【０００９】
この収納ラックでは、一方の荷受部材の荷重支持材は両端が固定されていると共に他方の荷受部材の略スライド方向支持材を支持し、前記一方の荷受部材の略スライド方向支持材は他方の荷受部材の荷重支持材を支持するようにしたので、棚部に載せた荷材の荷重が荷受部材にかかると、両端が固定された荷重支持材を有する一方の荷受部材が他方の荷受部材をしっかりと支える構造となりラック全体として安定する。
【００１０】
また、荷受部材は略スライド方向支持材とこの支持材に対して交叉する荷重支持材とを有するので、桟ではなく棚部自体を伸縮することができる。
▲２▼  前記スライドする荷受部材同士の案内枠部分には伸縮方向の変位を拘束する固定手段が設けられたこととしてもよい。
【００１１】
この収納ラックは対向する荷受部材を相互にスライドさせることにより棚部を伸縮できるようにしているが、スライドする荷受部材同士の案内枠部分には伸縮方向の変位を拘束する固定手段を設けると、棚部を伸縮させた後に案内枠部分の固定手段で固定して伸縮方向の変位を拘束することができる。なお、前記一方の荷受部材の荷重支持材の両端は、前記案内枠部分に固定することができる。
【００１２】
ここで前記案内枠部分の固定手段は、外方から押圧手段により内方の荷受部材を押圧するようにしてもよい。また前記固定手段として、案内枠部分で相互の変位を拘束するようにした嵌合手段を用いてもよい。このように構成すると、簡易な構成として使用時の荷受部材の伸縮方向の変位を拘束することができる。
▲３▼  前記棚部の四隅に支柱の挿通孔が形成され前記挿通孔に支柱を嵌合して固定するようにしてもよい。このように構成すると、棚部を複数用意することにより多段式の収納ラックとして形成することができる。
【００１３】
【発明の実施の形態】
以下、この発明の実施の形態を図面を参照して説明する。
【００１４】
図１乃至図７に示すように、この実施形態の収納ラックは、３段の棚部１と４本の支柱２とを具備する。前記棚部１の四隅には、支柱２の挿通孔３が形成されている。そして前記棚部１の四隅の挿通孔３に対し、支柱２に外嵌した合成樹脂製のアダプター（図示せず）を介し嵌合して固定するようにしている。
【００１５】
前記棚部１は対向する左右一対の荷受部材４をスライド可能に接合させて成り、前記両荷受部材４を相互にスライドさせることにより幅が伸縮できるようにしている（図２乃至図４に対して幅を拡げた状態は図５及び図６、更に拡げた状態は図７を参照）。そして、スライドする荷受部材４同士の案内枠５部分には、伸縮方向の変位を拘束する固定手段６を設けている。
【００１６】
前記案内枠５は、上下２本の案内材７にこの間をジクザグ状に連結する斜め方向の補強材８を溶接して形成している。この案内枠５部分の固定手段６は、外方から押圧手段９としてボルトにより内方の荷受部材４を押圧するようにしている。
【００１７】
また前記荷受部材４は、略スライド方向支持材１０（案内枠５に溶接している）とこの支持材に交叉する荷重支持材１１（後述の通り略スライド方向支持材１０の端部に溶接している）とを有する。前記略スライド方向支持材１０はスライド方向に対して平行としており、その下方に補助材１２を溶接している。
【００１８】
さらに図２に示すように、前記荷受部材４のうち一方の荷受部材４（図示左側の荷受部材４Ｌ、関連する符号にＬを付す）にはその略スライド方向支持材１０Ｌの右端部に荷重支持材１１Ｌが溶接され、この荷重支持材１１Ｌには上方に向けられた複数の凹部状の溝１３Ｌが形成されている。また、他方の荷受部材４（図示右側の荷受部材４Ｒ、関連する符号にＲを付す）にはその略スライド方向支持材１０Ｒの左端部に荷重支持材１１Ｒが溶接され、この荷重支持材１１Ｒには下方に向けられた複数の凹部状の溝１３Ｒが形成されている。そして前記荷重支持材１１の溝１３で、互いに他方側の略スライド方向支持材１０を支持するようにしている。
【００１９】
また一方の荷受部材４Ｌの荷重支持材１１Ｌは両端が案内枠５部分の固定手段６に固定されていると共に他方の荷受部材４Ｒの略スライド方向支持材１０Ｒを支持し、前記一方の荷受部材４Ｌの略スライド方向支持材１０Ｌは他方の荷受部材４Ｒの荷重支持材１０Ｒを支持するようにしている。
【００２０】
次に、この実施形態の収納ラックの使用状態を説明する。
【００２１】
この収納ラックでは、一方の荷受部材４Ｌの荷重支持材１１Ｌは両端が固定されていると共に他方の荷受部材４Ｒの略スライド方向支持材１０Ｒを支持し、前記一方の荷受部材４Ｌの略スライド方向支持材１０Ｌは他方の荷受部材４Ｒの荷重支持材１１Ｒを支持するようにしたので、棚部１に載せた荷材（図示せず）の荷重が荷受部材４にかかると、両端が固定された荷重支持材１１Ｌを有する一方の荷受部材４Ｌが他方の荷受部材４Ｒをしっかりと支える構造となりラック全体として安定し、従来より構造上安定であるという利点がある。
【００２２】
またこの収納ラックは多段式とし、対向する荷受部材４を相互にスライドさせることにより棚部１を伸縮できるようにしているが、スライドする荷受部材４同士の案内枠５部分には伸縮方向の変位を拘束する固定手段６を設けられたので、棚部１を伸縮させた後に案内枠５部分の固定手段６で固定して伸縮方向の変位を拘束することができ、従来より構造上安定であるという利点がある。
【００２３】
そして、荷受部材４は略スライド方向支持材１０とこの支持材に対して交叉する荷重支持材１１とを有するので、桟ではなく棚部１自体を伸縮することができ、別個に桟などに対する棚板等を用意する必要はないという利点がある。
【００２４】
更に、前記荷受部材４のうち一方の荷受部材４Ｌ（図示左側）の荷重支持材１１Ｌには上方に向けられた複数の凹部状の溝１３Ｌが形成され、他方の荷受部材４Ｒ（図示右側）の荷重支持材１１Ｒには下方に向けられた複数の凹部状の溝１３Ｒが形成され、前記荷重支持材１１の溝１３で互いに他方側の略スライド方向支持材１０を支持するようにしているので、左右の略スライド方向支持材１０の高さが同一になるような構造とすることができ、したがって棚部１の上面の荷材の載置面を面一（つらいち）の高さとすることができ、棚部１の載置面全体を有効に活用することができるという利点がある。
【００２５】
そのうえ前記案内枠５部分の固定手段６は、外方から押圧手段９（ボルト）により内方の荷受部材４を押圧するようにしているので、簡易な構成として使用時の荷受部材４の伸縮方向の変位を拘束することができるという利点がある。
【００２６】
前記棚部１の四隅に支柱２の挿通孔３が形成され、前記挿通孔３に支柱２を嵌合して固定するようにしているので、棚部１を複数用意することにより多段式の収納ラックとして形成することができるという利点がある。
【００２７】
【発明の効果】
この発明は上述のような構成であり、次の効果を有する。
【００２８】
棚部に載せた荷材の荷重が荷受部材にかかると、両端が固定された荷重支持材を有する一方の荷受部材が他方の荷受部材をしっかりと支える構造となりラック全体として安定するので、従来より構造上安定である収納ラックを提供することができる。また桟ではなく棚部自体を伸縮することができるので、別個に桟などに対する棚板等を用意する必要はない。
【図面の簡単な説明】
【図１】この発明の収納ラックの実施形態を説明する全体斜視図。
【図２】図１の収納ラックを構成する棚部を説明する斜視図。
【図３】図２の収納ラックの棚部の側面図。
【図４】図２の収納ラックの棚部の平面図。
【図５】図２の収納ラックの棚部の幅を拡げた状態の平面図。
【図６】図５の収納ラックの棚部のＡ―Ａ線矢視図。
【図７】図５の収納ラックの棚部の幅を更に拡げた状態の平面図。
【図８】従来の収納ラックを説明する斜視図。
【図９】図８の収納ラックの正面図。
【図１０】図８の収納ラックの幅を拡げた状態の斜視図。
【図１１】図１０の収納ラックの棚部のＢ―Ｂ線矢視図。
【図１２】図１０の収納ラックの棚部の平面図。
【図１３】図１０の収納ラックの棚部の側面図。
【符号の説明】
１  棚部
２  支柱
４  荷受部材
５  案内枠
６  固定手段
１０  略スライド方向支持材
１１  荷重支持材
【図１】
2004242994.tif 000003
【図２】
2004242994.tif 000004
【図３】
2004242994.tif 000005
【図４】
2004242994.tif 000006
【図５】
2004242994.tif 000007
【図６】
2004242994.tif 000008
【図７】
2004242994.tif 000009
【図８】
2004242994.tif 000010
【図９】
2004242994.tif 000011
【図１０】
2004242994.tif 000012
【図１１】
2004242994.tif 000013
【図１２】
2004242994.tif 000014
【図１３】
2004242994.tif 000015